(57)【要約】  【課題】本発明は、スケーリング機能を搭載する事により、動作中に解像度を変更する事が出来、表示画像の解像度が高い画像や低い画像も表示できる装置を提供する。  【解決手段】固定された解像度を持つ液晶パネルに入力された画像信号を液晶表示装置内に内蔵したスケーリング回路で液晶表示装置の解像度に合わせて拡大、縮小して表示し、演出効果を高める事ができるスケーリング機能付き遊技機用液晶表示装置が得られる。また、液晶表示装置の解像度より小さい画像を入力しても表示画面に合わせて拡大する事ができるスケーリング機能付き遊技機用液晶表示装置が得られる。【選択図】  図１
2006154007.tif 000002
【特許請求の範囲】
【請求項１】
液晶表示装置において固定された解像度を持つ液晶パネルへ入力された画像信号の解像度に関して液晶表示装置内に内蔵されたスケーリング回路にて映像信号の水平表示区間でのドットクロックのパルス数をカウントし水平方向の解像度を得、垂直方向の表示区間が水平同期信号の何周期分かをカウントし垂直方向の解像度を得て、この結果から入力と出力の解像度が異なる場合スケーリング回路制御用マイコンにて表示画面の大きさに対応する画像の解像度の拡大率又は縮小率を算出し、このパラメータデータをスケーリング回路経由で液晶パネル駆動信号として表示装置の駆動装置に送信できるようにしてなる、スケーリング機能付き遊技機用液晶表示装置
【請求項２】
液晶表示装置の解像度とは異なる解像度の画像を入力しても、液晶パネルの解像度に合わせて拡大、縮小して表示し、演出効果を高める事ができる、請求項１のスケーリング機能付き遊技機用液晶表示装置
【請求項３】
遊技機用画像出力装置の画像ＲＯＭを節約する為に液晶パネルの解像度より小さい画像を入力しても表示画面に合わせて拡大する事ができるスケーリング機能付き遊技機用液晶表示装置
【発明の詳細な説明】
【技術分野】
【０００１】
本発明は、入力された画像の解像度を液晶パネルの解像度に合わせて拡大、縮小して表示する事ができるスケーリング機能を持った遊技機用液晶表示装置に関するものである。
【背景技術】
【０００２】
従来の遊技機用液晶表示装置のようなスケーリング機能のない液晶表示装置は、入力信号がアナログ、デジタルに関わらず、液晶パネルが表示することができる特定の解像度、入力信号仕様に合わせた信号タイミングで入力しなければならない。このため、ＰＣ用液晶表示装置やＴＶ用液晶表示装置は、多様な信号規格に対応するため、スケーリング回路を内蔵し、その装置の液晶が表示することができる解像度、入力信号仕様に変換し、解像度、表示位置を適正に調整している。特許文献１や特許文献２のようにＰＣ用、ＴＶ用にこの機能を用いた液晶表示装置はあるが、遊技機用の液晶表示装置にはこの機能を持ち、この機能を演出効果として用いた表示装置は提案されていない。
【０００３】
【特許文献１】特開平８−１３７４４４号公報
【特許文献２】特開平１０−２５４４１８号公報
【０００４】
遊技機用画像出力装置は、表示する画像データを画像ＲＯＭ内に保持している。
画像データは、同じ図柄であれば、解像度に応じてデータサイズが変化し、解像度が高い程データサイズは増加する。液晶表示装置が高解像度になるにつれ画像出力装置の画像ＲＯＭ容量も増大、遊技機用画像出力装置も合わせて変更する必要がありコストが増大してしまう問題がある。
【発明の開示】
【発明が解決しようとする課題】
【０００５】
本発明は、スケーリング機能を搭載する事により、電源投入時入力信号の解像度が、出力する液晶パネルの解像度と一致しない場合、または動作中に入力信号の解像度が変化し、出力解像度と一致しない場合、出力する液晶パネルの解像度に合うよう画像を拡大あるいは縮小し、解像度を変更する事が出来、表示画像の解像度が高い画像や低い画像も表示できる装置を提供する。
【課題を解決するための手段】
【０００６】
本発明により、液晶表示装置において固定された解像度を持つ液晶パネルへ入力された画像信号の解像度に関して液晶表示装置内に内蔵されたスケーリング回路にて映像信号の水平表示区間でのドットクロックのパルス数をカウントし水平方向の解像度を得、垂直方向の表示区間が水平同期信号の何周期分かをカウントし垂直方向の解像度を得て、この結果から入力と出力の解像度が異なる場合スケーリング回路制御用マイコンにて表示画面の大きさに対応する画像の解像度の拡大率又は縮小率を算出し、このパラメータデータをスケーリング回路経由で液晶パネル駆動信号として表示装置の駆動装置に送信できるようにしてなる、スケーリング機能付き遊技機用液晶表示装置が得られる。これにより、入力された画像を液晶表示装置の解像度に合わせて拡大、縮小して表示し、演出効果を高める事ができるスケーリング機能付き遊技機用液晶表示装置が得られる。
また、液晶表示装置の解像度より小さい画像を入力しても表示画面に合わせて拡大する事ができるスケーリング機能付き遊技機用液晶表示装置が得られる。
【発明の効果】
【０００７】
本発明によれば、スケーリング機能を搭載する事により、動作中に解像度を変更し演出効果を持たせる事が出来る。また、表示画像の解像度が低い画像も表示できるため、画像ＲＯＭの容量の削減や、遊技機用画像出力装置の流用、リサイクルにも対応でき、コスト削減に寄与する。
【発明を実施するための最良の形態】
【０００８】
本発明を図面に従って具体的に説明する。図１は本発明装置のブロック図を示すもので、液晶表示装置１へ入力される入力信号２の解像度情報（水平同期信号、垂直同期信号、表示開始信号、画素同期信号、ドットクロック）からスケーリング回路３にて映像信号の表示区間がドットクロック何個分かをカウントし、水平解像度を得る。垂直解像度は、映像信号が水平同期信号何ライン分かをカウントする。この値をスケーリング回路制御用マイコン４がシリアルバス７を通して受信し、水平・垂直とも入力解像度の出力解像度に対する比率から拡大・縮小率を求め、スケーリング回路へこの値を送る。スケーリング回路は、入力信号２をこの値に拡大・縮小し、液晶パネル５に合わせた解像度に変更した駆動信号６を出力することにより実現される。例えば、入力信号がＶＧＡ、出力する液晶パネルがＳＶＧＡのみを表示できる場合、スケーリング回路３で映像信号が水平解像度が６４０ドット、垂直解像度は４８０ラインと検出される。このデータをシリアルバス７を介してスケーリング回路制御用マイコン４が受信する。出力パネルは水平解像度が８００ドット、垂直解像度が６００ラインの為、このデータより、水平拡大・縮小率８００／６４０＝１．２５倍、垂直拡大・縮小率６００／４８０＝１．２５倍が求められる。これをスケーリング回路３へ再びシリアルバス７経由で送信し、入力信号をこの比率で拡大し液晶パネル５の解像度の仕様に合ったＳＶＧＡ信号に変換され駆動信号６が出力される。
【０００９】
入力・出力信号の規格として、一般的なテレビ放送（ＮＴＳＣ、ＰＡＬ、ＳＥＣＡＭ）に準じた映像、ＰＣ用途で規格化された信号規格（ＰＧＡ、ＶＧＡ、ＳＶＧＡ、ＸＧＡ、ＳＸＧＡ、ＵＸＧＡ等）を液晶パネルの一般的な入力仕様（ＶＧＡ、ＳＶＧＡ、ＸＧＡ、ＳＸＧＡ、ＵＸＧＡ等）に変換できる事が望ましい。スケーリング回路制御用マイコンは、シリアルバスが使用できるものであれば種類は問わない。演算が高速ならばデータ受信から演算後のデータ送信までの時間を短縮できる為、処理能力が高速なものが望ましい。また、入力信号の形式は、デジタル、アナログを問わない。ＲＧＢのほかＹＵＶ入力でもかまわない。
【産業上の利用可能性】
【００１０】
この発明で得られる表示装置は安価な方法で演出効果を高めたものとして各種の遊技機の表示装置として利用が可能である。
【図面の簡単な説明】
【００１１】
【図１】本装置のブロック図を示す。
【符号の説明】
【００１２】
１  液晶表示装置
２  入力信号
３  スケーリング回路
４  スケーリング回路制御用マイコン
５  液晶パネル
６  液晶パネル駆動信号
７  シリアルバス
【図１】
2006154007.tif 000003